【手続補正書】
【提出日】平成19年7月17日(2007.7.17)
【手続補正１】
【補正対象書類名】特許請求の範囲
【補正対象項目名】全文
【補正方法】変更
【補正の内容】
【特許請求の範囲】
【請求項１】
回転制御装置であって、
第１の支持マウントの第１の軸に、回転可能に取り付けられた第１のアセンブリと、
該第１のアセンブリに回転可能に取り付けられた第２のアセンブリであって、該第２のアセンブリは該第１のアセンブリに対して軸方向に可動であり、該第１および第２のアセンブリは相互に隣り合いかつ離れた同軸の面をそれぞれ有し、該第１および第２のアセンブリはさらに、該第２のアセンブリが第１の軸方向位置にあるときには相互に摩擦により係合する軸方向の面をそれぞれ有し、また該第１および第２のアセンブリの該それぞれの軸方向の面は該第２のアセンブリが第２の軸方向位置にあるときには係合を解き、該第２のアセンブリが該第２の軸方向位置にあるときには該第２のアセンブリは該第１のアセンブリから独立に回転可能な、第２のアセンブリと、
第１の渦電流結合アセンブリおよび第２の渦電流結合アセンブリを備える渦電流ドライブであって、該第１の渦電流結合アセンブリは該第１のアセンブリの該同軸の面と関連し、該第２の渦電流結合アセンブリは該第１の渦電流結合アセンブリと隣り合いかつ離れている第２のアセンブリの該同軸の面と関連し、該第２の渦電流結合アセンブリは該第１の渦電流結合アセンブリとその間に空気の隙間を介して隣り合う、渦電流ドライブと
を備える、回転制御装置。
【請求項２】
前記第２の渦電流結合アセンブリは、
前記第２のアセンブリの中の内部空洞に配置された、複数の同軸の電気的に絶縁されたリングと、
該電気的に絶縁されたリングに隣接して同軸に置かれた非磁性のリングと、
を備える、請求項１に記載の回転制御装置。
【請求項３】
前記第１の渦電流結合アセンブリは、
前記第１のアセンブリの前記同軸の面に取り付けられたバックアイアンタブのペアであって、該バックアイアンタブは周方向に間隔をおいて互いに反対側に取り付けられた、バックアイアンタブのペアと、
それぞれのバックアイアンタブに固定された磁石のペアと、
を備える、請求項１に記載の回転制御装置。
【請求項４】
回転制御装置であって、
軸方向に伸びた軸を有する支持マウントと、
該軸に回転可能に取り付けられた第１のアセンブリであって、該第１のアセンブリは第１のメンバーおよび第２のメンバーを共に備え、該第１のメンバーは外側半径方向表面部分、該外側半径方向表面部分から離れた外側周方向表面、第１の外側軸方向表面部分、および第２の外側軸方向表面部分を備え、該外側半径方向表面部分は駆動源と係合するように構成され、該外側周方向表面は第１の渦電流アセンブリを備え、該第１の外側軸方向部分は空洞を定義し、該第２のメンバーは該第１のメンバーの該第２の軸方向表面部分に取り付けられ、該第２のメンバーは第１の摩擦面を備える、第１のアセンブリと、
該第２のメンバーにスライド可能に取り付けられたピストンであって、該ピストンは該空洞の中において第１の位置と第２の位置との間で軸方向に可動であり、該ピストンは該第１の位置の方向にバイアス力を加えられる、ピストンと、
該ピストンに対して回転可能に取り付けられた第３のメンバーであって、該第３のメンバーは該第１のアセンブリから独立に回転運動が可能であり、該第３のメンバーは該第１のメンバーの該外側周方向表面に対して半径方向に離れかつ同軸である内側半径方向表面部分を備え、該内側半径方向表面から離れて第２の渦電流アセンブリが内部に置かれる環状空洞を備え、該第３のメンバーは該第２のメンバーの該第１の摩擦面に隣り合う第２の摩擦面をさらに備え、該第１および第２の摩擦面は該ピストンが該第１の位置にあるときには係合し、該第１および第２の摩擦面は該ピストンが該第２の位置にあるときには相互に離れる、第３のメンバーと、
を備え、
該第２の渦電流アセンブリは、
該環状空洞の中に半径方向に配置された積層されたバックアイアンと、
該積層されたバックアイアンに接続された非磁性のバンドであって、該非磁性のバンドは該積層されたバックアイアンと該第１の渦電流アセンブリとの間に位置する、非磁性のバンドと、
を備える、
回転制御装置。
【請求項５】
前記積層されたバックアイアンのそれぞれは、前記環状空洞の内部に積み重ねられた複数の電気的に絶縁された磁性のバンドを備え、それぞれの磁性のバンドは該磁性のバンドの上面および下面に置かれた絶縁コーティングを含む、請求項４に記載の回転制御装置。
【請求項６】
前記複数のバンドは鋼のバンドを備える、請求項５に記載の回転制御装置。
【請求項７】
それぞれのバンドは約０．００９インチから約０．０１９インチまでの厚さを有する、請求項５に記載の回転制御装置。
【請求項８】
前記非磁性のバンドはアルミまたは銅のバンドを備える、請求項４に記載の回転制御装置。
【請求項９】
前記非磁性のバンドおよび前記第２の渦電流アセンブリと前記第１のメンバーの前記外側周方向表面部分との間の間隔は、約０．０６０インチの合計の厚さを有する、請求項４に記載の回転制御装置。
【請求項１０】
軸を有する支持マウントと、第１の回転可能アセンブリを備える第１のメンバーおよび第２のメンバーであって、該第１の回転可能アセンブリが該軸に回転可能に取り付けられ該第２のメンバーが空洞を定義する、第１のメンバーおよび第２のメンバーと、該第２のメンバーにスライド可能に取り付けられ該空洞の中で第１の位置と第２の位置との間で軸方向に可動なピストンと、該ピストンに対して回転可能に取り付けられ該第１の回転可能アセンブリから独立して回転運動が可能な第３のメンバーと、を含む改良された回転制御装置であって、該改良回転制御装置は、
該第１のメンバーの外側周方向表面に取り付けられた第１の渦電流アセンブリと、
該第３のメンバーの内部空洞の中に半径方向に配置された第２の渦電流アセンブリであって、該第２の渦電流アセンブリは該第１の渦電流アセンブリに対して半径方向に隙間を介しかつ同軸に置かれ、内側半径方向表面部分が該第３のメンバーの内部空洞を定義する、第２の渦電流アセンブリと、
を備える、改良回転制御装置。
【請求項１１】
前記第２の渦電流アセンブリは、
前記第３のメンバーの内部空洞の中に前記内側半径方向表面部分に隣接して半径方向に配置された、磁気伝導性材料の、複数の電気的に絶縁された金属のリングと、
該絶縁されたリングの一つと接続された非磁性材料の中間リングであって、該中間リングは該複数の絶縁されたリングと前記第１の渦電流アセンブリとの間に置かれる、中間リングと、
を備える、請求項１０に記載の改良回転制御装置。
【請求項１２】
それぞれの絶縁された金属のリングは上面と下面とを備え、該金属のリングの該上面と下面に絶縁コーティングが置かれる、請求項１１に記載の改良回転制御装置。
【請求項１３】
前記複数の絶縁された金属のリングは該内部空洞の中に積み重ねられる、請求項１１に記載の改良回転制御装置。
【請求項１４】
前記内部空洞の中の前記絶縁された金属のリングを保持するための保持リングをさらに備える、請求項１３に記載の改良回転制御装置。
【請求項１５】
前記第１の渦電流アセンブリは、
前記第１のメンバーの前記外側周方向表面に取り付けられたバックアイアンタブのペアであって、該バックアイアンタブは周方向に間隔を置いて互いに反対側に位置する、バックアイアンタブのペアと、
それぞれのバックアイアンタブに固定された磁石のペアと、
を備える、請求項１０に記載の改良回転制御装置。